(57)【要約】【課題】  本考案は少量の印刷枚数に適し、簡単容易にデサイン等の作成・印刷を一般のＯＡ機器で行える首掛け用ラベル基材を提供せんとする。【解決手段】  各角が直角の四角形のシート２であって、複数の短冊状に分離可能な指示線３が一対向辺を結んで設けてあり、各短冊状の前記一対向辺を結ぶ方向に、対向した対称形の二本の起折切り込み５、５と、この二本の起折切り込みを結ぶ一本の分割切り込み６を形成したことを特徴とする。【選択図】  図１
0003123127.tif 000002
【実用新案登録請求の範囲】
【請求項１】
各角が直角の四角形のシートであって、複数の短冊状に分離可能な指示線が一対向辺を結んで設けてあり、各短冊状の前記一対向辺を結ぶ方向に、対向した対称形の二本の起折切り込みと、この二本の起折切り込みを結ぶ一本の分割切り込みを形成したことを特徴とする首掛け用ラベル基材。
【請求項２】
指示線を複数の切れ目が断続的に繋がった線で形成したことを特徴とする請求項1記載の首掛け用ラベル基材。
【請求項３】
指示線の代わりに線の両端部に当るシートの端縁に切り込みを設けたことを特徴とする請求項1記載の首掛け用ラベル基材。
【請求項４】
分割切り込みに円弧状部分を有することを特徴とする請求項1乃至３記載のいずれか1項記載の首掛け用ラベル基材。
【請求項５】
起折切り込み及び／又は分割切込みが、複数の切れ目が断続的に繋がったものであることを特徴とする請求項1乃至４記載のいずれか1項記載の首掛け用ラベル基材。
【請求項６】
起折切り込みと分割切込みの接点が部分的に繋がって非連続となっていることを特徴とする請求項１乃至５記載のいずれか1項記載の首掛け用ラベル基材。
【考案の詳細な説明】
【技術分野】
【０００１】
本考案は包装用容器のうち瓶を利用した容器であって、その首部に嵌入して装着する広告用や販促用の首掛け用ラベル基材に関するものである。
【背景技術】
【０００２】
首掛け用のラベルは製品の数に応じて多量に印刷して準備しておくのが従来の方法であり、専門の印刷業者に注文を出しているのである。
しかし、近年は商品の少量多品種の営業形態を採るところもあり、一方、ＯＡ化も進み業態に応じた広告等の内容をフットワーク良く、パソコンを利用して作成・プリントして企業内でも行いたいとの要望がある。
【０００３】
しかし、従来の首掛け用ラベル基材は、テープ型のロール状に巻回したものであり、一般の簡易な印刷機械では使いづらく、特別の印刷機械を必要とし、まして、一般のＯＡ機器を利用して簡易にデサイン等の作成・印刷をすることは困難である。
【考案の開示】
【考案が解決しようとする課題】
【０００４】
そこで、本考案は少量の印刷枚数に適し、簡単容易にデサイン等の作成・印刷を一般のＯＡ機器で行える首掛け用ラベル基材を提供せんとするものである。
【課題を解決するための手段】
【０００５】
本考案の首掛け用ラベル基材は、各角が直角の四角形のシートであって、複数の短冊状に分離可能な指示線が一対向辺を結んで設けてあり、各短冊状の前記一対向辺を結ぶ方向に、対向した対称形の二本の起折切り込みと、この二本の起折切り込みを結ぶ一本の分割切り込みを形成したことを特徴とするものである。
【０００６】
指示線を複数の切れ目が断続的に繋がった線で形成したもの、或いは、指示線の代わりに線の両端部に当るシートの端縁に切り込みを設けたことを特徴とするものであっても良い。
【０００７】
また、分割切り込みに円弧状部分を有すること、更には、起折切り込み及び／又は分割切込みが、複数の切れ目が断続的に繋がったものであること、そして、起折切り込みと分割切込みの接点が部分的に繋がって非連続となっていることを特徴とするものであっても良い。
【考案の効果】
【０００８】
シートが長方形又は正方形であるため、スローガン、絵図や文章が事務用のパソコンで容易に作成できると共に、プリントも問題なく行える効果を有し、多くの種類や少量の商品に好都合である。
そして、指示線にそって短冊状に分割分離し、対向した対称形の二本の起折切り込みと、この二本の起折切り込みを結ぶ一本の分割切り込みを形成した部分を、瓶の口部に押し当てれば、分割切り込みで当該部分が分かれて起折して、首部へ嵌入することができるものである。
【０００９】
請求項２の指示線を複数の切れ目が断続的に繋がった線で形成したものは、切り取り具を使用することなく容易に各短冊状に分離することができる効果があり、また、請求項３の指示線の代わりに線の両端部に当るシートの端縁に切り込みを設けたものは、両切り込みで折り曲げることが容易となり分離作業に資するものである。
【００１０】
請求項４の分割切り込みに円弧状部分を有することは、分割切り込みで分かれて起折した場合に、円弧状部分が瓶の首部の弧面に沿うため、嵌入及び係止が滑らかとなる効果がある。
【００１１】
請求項５の起折切り込み及び／又は分割切込みが、複数の切れ目が断続的に繋がったものであること、及び請求項６の起折切り込みと分割切込みの接点が部分的に繋がって非連続となっていることにより、瓶の首部に嵌入する部位がプリント時に起き上がってプリンターへの障害となったり、シートが折れ曲がってしまうのを防止する効果を得られると共に、押圧すれば簡単に連続した切り込みとなり首部への嵌入時には支障とならない効果を有する。
【考案を実施するための最良の形態】
【００１２】
次に本考案の実施の一形態を図面に基づいて説明する。
図１は一実施の形態を示すラベル基材１の正面図である。
ラベル基材１には長方形のシート２に短辺と平行に指示線３が複数表示してあり、この指示線３に沿ってシート２から分離して同一の短冊状のラベル４、４・・・を得ることができる。
【００１３】
指示線３は短冊状のラベル４に分離する目印であり、複数の切れ目が断続的に繋がった線（ミシン線等）３Ａで形成すれば、切断具を使用せずとも容易に分離することができ（図２）、また、線の両端部に当るシート２の端縁に切り込み３Ｂを設けておくだけでも作業が容易となる（図３）。
そして、分離する短冊状のラベル４は長辺が直線の平行線である必要もない。
【００１４】
また、分離する各ラベル４には、対向した対称形の二本の起折切り込み５、５が前記指示線３と平行に形成してあり、更に、この二本の起折切り込み５、５を結ぶ一本の分割切り込み６が形成されている。
【００１５】
二本の起折切り込み５、５は平行である必要はなく、中央部で屈曲した線５１、５１（図４）としたり、弧状の曲線としても良いけれど、対称形の二本の線とするのが好ましい。
【００１６】
分割切り込み６は起折切り込み５、５に対して、上下中央部に形成するのが最適であるけれど、上下に偏っていても同一の作用効果は得られる。
また、直線に代え山形や円弧状部分６１を有するものであれば起折して瓶の首部の外周に合わせられる（図５）。
【００１７】
図６及び図７は、起折切り込み及び分割切込みが、又はどちらか一方が複数の切れ目が断続的に繋がった線（ミシン線等）５Ａ、６Ａとしたり、起折切り込み５、５と分割切込み６の接点が部分的に繋がって非連続７とし、瓶の首部に嵌入する部位が運搬、保管やプリント時に起き上がらないようにすると共に、押圧すれば各線が容易に連続して起折できるようになっている。
【図面の簡単な説明】
【００１８】
【図１】本考案の一実施の形態を示すラベル基材の正面図である。
【図２】本考案の指示線の他実施の形態を示すラベル基材の一部正面図である。
【図３】本考案の指示線の他実施の形態を示すラベル基材の一部正面図である。
【図４】本考案の起折切り込みの他の実施の形態を示すラベル基材の一部正面図である。
【図５】本考案の分割切り込みの他の実施の形態を示すラベル基材の一部正面図である。
【図６】本考案の起折切り込み及び分割切込みの他実施の形態を示すラベル基材の一部正面図である。
【図７】本考案の分割切込みの他実施の形態を示すラベル基材の一部正面図である。
【符号の説明】
【００１９】
１                  ラベル基材
２                  シート
３                  指示線
３Ａ、５Ａ、６Ａ    ミシン線等
３Ｂ                切り込み
４                  ラベル
５                  起折切り込み
６                  分割切込み
５１                  屈曲線
６１                  円弧状部分
７                  非連続
【図１】
0003123127.tif 000003
【図２】
0003123127.tif 000004
【図３】
0003123127.tif 000005
【図４】
0003123127.tif 000006
【図５】
0003123127.tif 000007
【図６】
0003123127.tif 000008
【図７】
0003123127.tif 000009